【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
立体装飾物を備える遊技機であって、
前記立体装飾物の周辺に広がる装飾領域と、
前記装飾領域に設けられ、光を透過する透光手段と、
前記透光手段の背面側から光を照射する照明手段と、
前記立体装飾物及び前記装飾領域の前方を視認可能に覆うカバー部材と、
を備え、
前記透光手段は、
前記照明手段からの光を前方に向けて透過する前面部と、
前記照明手段からの光を側方に向けて透過する側面部と、
を有し、
前記側面部の少なくとも一部は、前記立体装飾物に対し前記装飾領域の周縁よりも近い位置に該立体装飾物に対向して設けられ、該側面部から透過する光で前記立体装飾物を照らす
ことを特徴とする遊技機。
【手続補正２】
【補正対象書類名】明細書
【補正対象項目名】０００１
【補正方法】変更
【補正の内容】
【０００１】
本発明は、立体装飾物を備える遊技機に関する。
【手続補正３】
【補正対象書類名】明細書
【補正対象項目名】０００８
【補正方法】変更
【補正の内容】
【０００８】
前記課題を解決するために、本発明の請求項１に記載の遊技機は、
立体装飾物を備える遊技機であって、
前記立体装飾物の周辺に広がる装飾領域と、
前記装飾領域に設けられ、光を透過する透光手段と、
前記透光手段の背面側から光を照射する照明手段と、
前記立体装飾物及び前記装飾領域の前方を視認可能に覆うカバー部材と、
を備え、
前記透光手段は、
前記照明手段からの光を前方に向けて透過する前面部と、
前記照明手段からの光を側方に向けて透過する側面部と、
を有し、
前記側面部の少なくとも一部は、前記立体装飾物に対し前記装飾領域の周縁よりも近い位置に該立体装飾物に対向して設けられ、該側面部から透過する光で前記立体装飾物を照らす
ことを特徴としている。
本発明の手段１の遊技機は、
立体状に形成された立体装飾物（フィギュア１２１）を備える遊技機（スロットマシン１）であって、
前記立体装飾物が一面（前面）に取り付けられる取付パネル（取付パネル５６０）と、
前記立体装飾物を挟んで前記取付パネルに対向して配置され、前記立体装飾物を視認可能な透視部を有する透視パネル（下部パネル１２０）と、
前記取付パネルにおける前記一面の反対面（背面）に配設され、該取付パネルを照明する照明手段（ＬＥＤ５９０ａ，５９１ａ，５９２ａ）と、
を備え、
前記取付パネルは、
前記立体装飾物が取り付けられる取付部（取付ボス５８５）を有する取付領域（取付部５８０）と、
前記照明手段が対応して配設され、該照明手段からの光を透過可能な透光領域（第１透光部５８１，５８２、第２透光部５８３）と、
を有し、
前記一面における前記透光領域は前記取付領域よりも前記透視パネル側に突設され、
前記反対面における前記透光領域は前記取付領域よりも前記透視パネル側に凹設され（図２２参照）、
前記透光領域は、
前記照明手段からの光を前記透視パネルに向けて透過する前面と、
前記照明手段からの光を側方に向けて透過する側面と、
を有し、
前記側面の少なくとも一部は、前記立体装飾物に対し前記取付パネルの周縁よりも近い位置に該立体装飾物に対向して設けられ、該側面から透過する光で前記立体装飾物を照らす
ことを特徴としている。
この特徴によれば、立体装飾物を側方から、かつ、取付パネルの周縁より近い位置から照らすことができるため、立体装飾物の視認性及び装飾性が向上する。
【手続補正４】
【補正対象書類名】明細書
【補正対象項目名】０００９
【補正方法】変更
【補正の内容】
【０００９】
本発明の手段２の遊技機は、手段１に記載の遊技機であって、
前記透光領域（第１透光部５８１，５８２、第２透光部５８３）は、
前記一面（前面）における取付領域（取付部５８０）からの突出長さが第１突出長さ寸法である第１透光領域（第１透光部５８１，５８２）と、
前記一面における取付領域からの突出長さが前記第１突出長さ寸法よりも長い第２突出長さ寸法である第２透光領域（第２透光部５８３）と、
を含む（図２０参照）
ことを特徴としている。
この特徴によれば、立体装飾物の奥行き幅寸法に合わせて透光領域を配置することができるばかりか、透光領域の配置位置が奥行き方向に異なることで奥行き感を持たせることができる。
【手続補正５】
【補正対象書類名】明細書
【補正対象項目名】００１０
【補正方法】変更
【補正の内容】
【００１０】
本発明の手段３の遊技機は、手段２に記載の遊技機であって、
前記立体装飾物（フィギュア１２１）から前記第２透光領域（第２透光部５８３）までの離間幅寸法は、前記立体装飾物から前記第１透光領域（第１透光部５８１，５８２）までの離間幅寸法よりも大きい（図２０参照）
ことを特徴としている。
この特徴によれば、第１透光部よりも突出長さが大きい第２透光部は、第１透光部よりも立体装飾物から離れて配置されるため、立体装飾物に対して圧迫感を与えることが防止されるとともに、取付パネルと透視パネルとの間の空間に奥行き感を持たせることができる。
【手続補正６】
【補正対象書類名】明細書
【補正対象項目名】００１１
【補正方法】変更
【補正の内容】
【００１１】
本発明の手段４の遊技機は、手段１〜３のいずれかに記載の遊技機であって、
前記照明手段としての発光ダイオード（ＬＥＤ５９１ａ）が搭載され、前記第１透光領域（第１透光部５８１）に対応して設けられる第１発光基板（第２下パネル基板５９１）と、
前記照明手段としての発光ダイオード（ＬＥＤ５９２ａ）が搭載され、前記第２透光領域（第２透光部５８３）に対応して設けられる第２発光基板（第３下パネル基板５９２）と、
前記発光ダイオードの発光制御を行う発光制御手段（サブ制御部９１）が設けられた発光制御基板（演出制御基板９０）と、
を備え、
前記第２発光基板は、前記発光制御基板に配線接続された前記第１発光基板に配線接続され、該第１発光基板を中継して前記発光制御基板に配線接続される（図２１参照）
ことを特徴としている。
この特徴によれば、各基板同士の配線を極力短寸化できるため、断線等の危険性を抑制できる。
【手続補正７】
【補正対象書類名】明細書
【補正対象項目名】００１２
【補正方法】変更
【補正の内容】
【００１２】
本発明の手段５の遊技機は、手段４に記載の遊技機であって、
前記第２発光基板（第３下パネル基板５９２）に設けられた第１コネクタ部（基板側コネクタ６１２ｂ）と、
前記第１発光基板（第２下パネル基板５９１）に設けられ、前記第１コネクタ部に一端が接続される配線ケーブルの他端が接続される第２コネクタ部（基板側コネクタ６１２ａ）と、
を備え、
前記第１発光基板と前記第２発光基板とは互いに対向して配置され、
前記第１コネクタ部と第２コネクタ部とは、前記第１発光基板と前記第２発光基板との対向面（基板側コネクタ６１２ａは第２下パネル基板５９１の前面、基板側コネクタ６１２ｂは第３下パネル基板５９２の背面）にそれぞれ配置されている（図２３参照）、
ことを特徴としている。
この特徴によれば、第２コネクタ部が第１発光基板により隠蔽され、第２透光部及び透視部を介して外部から視認されにくくなる。
【手続補正８】
【補正対象書類名】明細書
【補正対象項目名】００１３
【補正方法】変更
【補正の内容】
【００１３】
本発明の手段６の遊技機は、手段１〜５のいずれかに記載の遊技機であって、
前記立体装飾物における前記取付領域からの突出長さは、前記透光領域における前記取付領域からの突出長さよりも長い
ことを特徴としている。